(57)【要約】【課題】収納容器等の対象物を迅速に取り出して準備し得る収納バッグを提供する。【解決手段】対象物２４を収納し得る収納部２と、収納部２を椅子２０に取り付ける紐部３とを備える収納バッグ１であって、  収納部２は、対象物２４を側方から出し入れし得るよう両側の少なくとも一方に開放口８を備え、収納部２に対象物２４を収納した際には、椅子２０を回転させた場合でも開放口８から対象物２４の外部への飛び出しを防止するよう構成する。これにより、椅子２０に座った状態から対象物２４を容易に取り出して準備することができる。【選択図】図５
2005218612.tif 000002
【特許請求の範囲】
【請求項１】
対象物を収納し得る収納部と、該収納部を椅子に取り付ける紐部とを備える収納バッグであって、
前記収納部は、対象物を側方から出し入れし得るよう両側の少なくとも一方に開放口を備え、前記収納部に対象物を収納した際には、椅子を回転させた場合でも開放口から対象物の外部への飛び出しを防止するよう構成したことを特徴とする収納バッグ。
【請求項２】
収納部に掛止部材を配し、前記掛止部材により対象物の外部への飛び出しを防止するよう構成した請求項１記載の収納バッグ。
【請求項３】
収納部の底面を撓み得るよう構成し、対象物を載置した際の底面の撓みにより対象物の外部への飛び出しを防止するよう構成した請求項１又は２記載の収納バッグ。
【請求項４】
収納部の外方面に、プレート状の対象物を差し込むよう第二収納部を備えた請求項１〜３のいずれかに記載の収納バッグ。
【請求項５】
収納部もしくは第二収納部の少くとも一方を、対象物を外部に見せる素材で構成した請求項１〜４のいずれかに記載の収納バッグ。
【発明の詳細な説明】
【技術分野】
【０００１】
本発明は、遊戯場で用いる収納容器等の対象物を収納し得る収納バッグに関するものである。
【背景技術】
【０００２】
一般に、パチンコ等の遊戯場では、パチンコ玉やメダル等を入れるために玉箱やメダル箱等の収納容器を用いており、このような収納容器は、遊戯台が当たりの状態になった場合に、迅速に取り出して準備し得るよう、個々の遊戯台の周囲で手の届く範囲で配置されている。
【０００３】
なお、本発明に関連する先行技術文献としては、下記の特許文献１等が既に存在している。
【特許文献１】実用新案登録第３０８８４４０号公報
【発明の開示】
【発明が解決しようとする課題】
【０００４】
しかしながら、店舗の大きさや遊戯台の構造によっては収納容器を個々の遊戯台の周囲に配置することができないため、遊戯台が当たりの状態になった際に店員が所定の配置場所から適宜運んでおり、収納容器を迅速に取り出して準備することができないという問題があった。
【０００５】
本発明は、上述の実情に鑑み、収納容器等の対象物を迅速に取り出して準備し得る収納バッグを提供することを目的とするものである。
【課題を解決するための手段】
【０００６】
本発明の請求項１は、対象物を収納し得る収納部と、該収納部を椅子に取り付ける紐部とを備える収納バッグであって、
前記収納部は、対象物を側方から出し入れし得るよう両側の少なくとも一方に開放口を備え、前記収納部に対象物を収納した際には、椅子を回転させた場合でも開放口から対象物の外部への飛び出しを防止するよう構成したことを特徴とする収納バッグ、にかかるものである。
【０００７】
本発明の請求項２に示す如く、収納部に掛止部材を配し、前記掛止部材により対象物の外部への飛び出しを防止するよう構成した請求項１記載の収納バッグ、にかかるものである。
【０００８】
本発明の請求項３に示す如く、収納部の底面を撓み得るよう構成し、対象物を載置した際の底面の撓みにより対象物の外部への飛び出しを防止するよう構成した請求項１又は２記載の収納バッグ、にかかるものである。
【０００９】
本発明の請求項４に示す如く、収納部の外方面に、プレート状の対象物を差し込むよう第二収納部を備えた請求項１〜３のいずれかに記載の収納バッグ、にかかるものである。
【００１０】
本発明の請求項５に示す如く、収納部もしくは第二収納部の少くとも一方を、対象物を外部に見せる素材で構成した請求項１〜４のいずれかに記載の収納バッグ、にかかるものである。
【００１１】
このように、本発明の収納バッグによれば、収納部を椅子に取り付けて、対象物を収納部の上側からでなく、側方から出し入れするので、椅子に座った状態であっても腕を廻して対象物を容易に取り出し、結果的に、対象物を迅速に取り出して準備することができる。又、収納部には開放口を常に開放しているので、蓋を備えた場合と異なり、容易に対象物を取り出すことができる。更に、収納部に対象物を収納した際には、椅子を回転させた場合でも開放口から対象物の外部への飛び出しを防止し得るので、安定的に対象物を収納することができる。
【００１２】
収納部に掛止部材を配し、前記掛止部材により対象物の外部への飛び出しを防止するよう構成すると、掛止部材により飛び出しの防止状態になるので、安定的に対象物を収納することができる。又、簡易な構成で対象物の飛び出しを防止するので、製造コストを低減することができる。
【００１３】
収納部の底面を撓み得るよう構成し、対象物を載置した際の底面の撓みにより対象物の外部への飛び出しを防止するよう構成すると、対象物を載置することにより飛び出しの防止状態になるので、容易且つ安定的に対象物を収納することができる。又、簡易な構成で対象物の飛び出しを防止するので、製造コストを低減することができる。
【００１４】
収納部の外方面に、プレート状の対象物を差し込むよう第二収納部を備えると、収納部と第二収納部に別々異なる対象物を収納し得るので、異なる複数の対象物を容易に収納することができる。
【００１５】
収納部もしくは第二収納部の少くとも一方を、対象物を外部に見せる素材で構成すると、収納部もしくは第二収納部に配置した対象物を外部から見ることが可能となるので、対象物の存在の有無を容易に判別することができると共に、美観を向上させることができる。
【発明の効果】
【００１６】
以上説明したように、本発明の収納バッグによれば、収納部の側方から対象物を出し入れするので、椅子に座った状態から対象物を容易に取り出し、結果的に、対象物を迅速に取り出して準備することができるという優れた効果を奏し得る。
【発明を実施するための最良の形態】
【００１７】
以下、本発明の実施の形態を図面に基いて説明する。
【００１８】
図１〜図６は、本発明の収納バッグを実施する形態例である。
【００１９】
本形態例の収納バッグ１は、所定の内部空間を形成する収納部２と、収納部２に接続された紐部３とを備えており、収納部２は、メッシュ状で柔軟性のある素材からなるシートを折り曲げて正面４、底面５及び裏面６を形成し、且つ正面４及び裏面６の上部を複数の連結帯７（図では三本）で接続して両側を開放口８とするよう構成されている。ここで、収納部２の底面５には、側端に沿うよう所定の厚さと幅を有する板状の掛止部材９を配置すると共に、収納部２の正面４及び裏面６には、上端に板状の補強部材１０を取り付けている。又、正面４、底面５及び裏面６の夫々の側端には、補強部材１０及び掛止部材９ごと挟み込むよう、所定幅の布帯１１を折り返して配置し、補強部材１０、掛止部材９ごと縫い付けている。
【００２０】
又、収納部２には、正面４の上端で縫い付けられて正面４の前側に位置する第二収納部１２を備えており、第二収納部１２は、収納部２と略同様なメッシュ状で柔軟性のある素材からなるシートを中途高さまで折り返して、上方からの差込口１３を有するよう第二正面１４及び第二裏面１５を形成すると共に、第二正面１４の上部、第二正面１４の側部及び第二裏面１５の側部には布帯１６を折り返して配置し、第二正面１４及び第二裏面１５を接続するよう、布帯１６を第二正面１４の側部及び第二裏面１５の側部ごと縫い付けている。
【００２１】
一方、紐部３は、収納部２の上部両側に位置するよう連結帯７に掛け廻して接続されており、紐部３の一方の連結帯７側には、受部１７と差込部１８を備えて着脱自在な着脱部材１９を備えている。ここで、着脱部材１９は、受部１７と差込部１８の凹凸を掛止することにより両者を接続し、且つ押圧で凹凸の掛止を外すことにより両者を解除し得るよう構成されている。なお、着脱部材１９の構成は着脱自在に構成されるものならば特に限定されるものではない。
【００２２】
以下、本発明を実施する形態例の作用を説明する。
【００２３】
本形態例の収納バッグ１を椅子２０に配置する際には、予め収納バッグ１を椅子２０の着座部２１と背もたれ部２２の屈曲部２３に着脱部材１９を介して紐部３を掛け廻し、収納部２を吊り下げるよう取り付ける。
【００２４】
次に、収納バッグ１に対象物の収納容器２４を収納する際には、収納容器２４を収納部２の開放口８に側方から差し入れて収納部２の底面５に載置し、第二収納部１２には、プレート状の対象物である表示プレート２５を差込口１３に上方から差し込んで保持する。ここで、収納容器２４を底面５に載置した際には、底面５がメッシュ状で柔軟性のなる素材であることにより下方へ撓み、収納容器２４の下方を囲んで保持する。又、収納部２及び第二収納部１２はメッシュ状で内部を露出させるようになっている。
【００２５】
続いて、収納バッグ１に収納容器２４や表示プレート２５を収納した状態で椅子２０を軸転した際には、底面５の掛止部材９及び底面５の撓みにより収納容器２４が外部へ飛び出すことを防止する。ここで、板状の掛止部材９は、収納容器２４を収納し得ると共に収納容器２４の飛び出しを防止し得るならば、高さ、大きさ、形状、材質は特に限定されるものではない。
【００２６】
一方、収納容器２４等の対象物を使用するよう収納バッグ１から収納容器２４等の対象物を取り出す際には、収納容器２４を収納部２の開放口８から側方へ引き出し、第二収納部１２の差込口１３からは表示プレート２５を上方へ引き出す。
【００２７】
このように、本形態例の収納バッグ１によれば、紐部３を介して収納部２を椅子２０に取り付け、対象物の収納容器２４を収納部２の上側からでなく、開放口８により側方から出し入れするので、着席者は椅子２０に座った状態であっても腕を廻して対象物を容易に取り出し、結果的に、収納容器２４を迅速に取り出して準備することができる。又、収納部２には開放口８を常に開放しているので、蓋等を備えた場合と異なり、容易に収納容器２４を取り出すことができる。更に、収納部２に収納容器２４を収納した際には、椅子２０を軸転させた場合でも開放口８から収納容器２４の外部への飛び出しを防止し得るので、安定的に収納容器２４を収納することができる。ここで、表示プレート２５は、店員のみが使用するものであって、椅子２０の着席者が第二収納部１２から取り出すことはなく、差込口１３から上方に引き出すものであっても問題になることはない。
【００２８】
収納部２に掛止部材９を配し、前記掛止部材９により収納容器２４の外部への飛び出しを防止するよう構成すると、掛止部材９により飛び出しの防止状態になるので、安定的に収納容器２４を収納することができる。又、掛止部材９の板状による簡易な構成で収納容器２４の飛び出しを防止するので、製造コストを低減することができる。
【００２９】
収納部２の底面５を撓み得るよう構成し、収納容器２４を載置した際の底面５の撓みにより収納容器２４の外部への飛び出しを防止するよう構成すると、収納容器２４を載置することにより飛び出しの防止状態になるので、容易且つ安定的に収納容器２４を収納することができる。又、底面５の撓みによる簡易な構成で収納容器２４の飛び出しを防止するので、製造コストを低減することができる。
【００３０】
収納部２の外方面に、プレート状の対象物である表示プレート２５を差し込むよう第二収納部１２を備えると、収納部２と第二収納部１２に収納容器２４と表示プレート２５を収納し得るので、異なる複数の対象物を容易に収納することができる。
【００３１】
収納部２もしくは第二収納部１２の少くとも一方を、収納容器２４もしくは表示プレート２５を外部に見せるメッシュ状の素材で構成すると、収納部２に配置した収納容器２４、もしくは第二収納部１２に配置した表示プレート２５を外部から見ることが可能となるので、収納容器２４の存在の有無を容易に判別することができると共に、表示プレート２５により美観を向上させることができる。ここで、収納容器２４もしくは表示プレート２５を外部に見せる素材はメッシュに限定されるものでなく、透明なビニール、プラスチック等、その他の素材でもよい。
【００３２】
なお、本発明は、上述の実施の形態にのみ限定されるものではなく、収納部に形成する開放口は収納部の両側に備えてもよいし、一方のみに備えてもよいこと、又、収納容器を側方から出し入れし得るならば開放口は多少上方に傾斜してもよいこと、更に、収納部、第二収納部及び紐部は同じ作用効果を得るならば形状、材質、大きさを変更してもよいこと、その他、本発明の要旨を逸脱しない範囲内において種々変更を加え得ることは勿論である。
【図面の簡単な説明】
【００３３】
【図１】本発明の実施の形態例を示す斜視図である。
【図２】収納バッグの全体を示す斜視図である。
【図３】収納バッグの側方を示す側面図である。
【図４】掛止部材を示す断面図である。
【図５】本発明の実施の形態例において対象物を収納する前の状態を示す斜視図である。
【図６】本発明の実施の形態例において対象物を収納した後の状態を示す斜視図である。
【符号の説明】
【００３４】
１  収納バッグ
２  収納部
３  紐部
８  開放口
９  掛止部材
１２  第二収納部
２０  椅子
２４  収納容器（対象物）
２５  表示プレート（プレート状の対象物）
【図１】
2005218612.tif 000003
【図２】
2005218612.tif 000004
【図３】
2005218612.tif 000005
【図４】
2005218612.tif 000006
【図５】
2005218612.tif 000007
【図６】
2005218612.tif 000008